(57)【要約】【課題】発煙、発火等のない安全な定着装置を提供することを目的とする。【解決手段】加熱ローラ１３０および耐熱性ベルト１５０を回転または移動させる駆動手段３６０が正常に動作していることを検知する駆動動作検知手段３５０と加熱ローラ１３０および耐熱性ベルト１５０が正常に回転または移動することを検知する発熱部材回転移動検知手段３４０とインバータ回路３１０とインバータ回路３１０を制御する制御回路３２０とを有し、駆動動作検知手段３５０または発熱部材回転移動検知手段３４０が異常と検知した場合に、制御回路３２０はインバータ回路３１０の出力を停止または制限させることにより、発煙、発火等を未然に防止できる。【選択図】  図５
2004279661.tif 000002
【特許請求の範囲】
【請求項１】
発熱部材と、前記発熱部材と対向配置され、電磁誘導によって前記発熱部材を発熱させる誘導加熱手段と、前記発熱部材を回転または移動させる駆動手段と、前記駆動手段が正常に動作していることを検知する駆動動作検知手段と、前記発熱部材が正常に回転または移動することを検知する発熱部材回転移動検知手段と、前記誘導加熱手段を駆動するインバータ回路と、前記インバータ回路を制御する制御回路とを有し、前記駆動動作検知手段または前記発熱部材回転移動検知手段が異常と検知した場合に、前記制御回路は前記インバータ回路の出力を停止または制限させることを特徴とする定着装置。
【請求項２】
発熱部材と、前記発熱部材と対向配置され、電磁誘導によって前記発熱部材を発熱させる誘導加熱手段と、前記発熱部材を回転または移動させる駆動手段と、前記駆動手段が正常に動作していることを検知する駆動動作検知手段と、前記発熱部材が正常に回転または移動することを検知する発熱部材回転移動検知手段と、前記発熱部材が正常に装着されていることを検出する発熱部材検知手段と、前記誘導加熱手段を駆動するインバータ回路と、前記インバータ回路を制御する制御回路とを有し、前記駆動動作検知手段または前記発熱部材回転移動検知手段が異常と検知した場合に、前記制御回路は前記インバータ回路の出力を停止または制限させ、前記発熱部材検知手段が異常と検知した場合に、前記制御回路は前記インバータ回路の出力を停止させることを特徴とする定着装置。
【請求項３】
発熱部材と、前記発熱部材と対向配置され、電磁誘導によって前記発熱部材を発熱させる誘導加熱手段と、前記発熱部材を回転または移動させる駆動手段と、前記駆動手段が正常に動作していることを検知する駆動動作検知手段と、前記発熱部材が正常に回転または移動することを検知する発熱部材回転移動検知手段と、前記発熱部材が正常に装着されていることを検出する発熱部材検知手段と、前記誘導加熱手段を駆動するインバータ回路と、前記インバータ回路を制御する制御回路と、前記発熱部材の取付けおよび取り外しのためのドアと前記ドアの開閉に連動して開閉するスイッチとを有し、前記駆動動作検知手段または前記発熱部材回転移動検知手段が異常と検知した場合に、前記制御回路は前記インバータ回路の出力を停止または制限させ、前記発熱部材検知手段が異常と検知した場合に、前記制御回路は前記インバータ回路の出力を停止させ、前記スイッチが開状態の場合に、前記インバータ回路の出力は停止することを特徴とする定着装置。
【請求項４】
前記制御回路は前記駆動動作検知手段または前記発熱部材回転移動検知手段または前記発熱部材検知手段が異常と検知した場合にソフトウェアを介さずに、前記インバータ回路の出力を停止または制限させることを特徴とする請求項１から３記載の定着装置。
【請求項５】
前記制御回路はソフトウェアから定期的に所定時間内にアクセスがない場合、前記インバータ回路の出力を停止させることを特徴とする請求項１から４記載の定着装置。
【発明の詳細な説明】
【０００１】
【発明の属する技術分野】
本発明は、複写機やファクシミリ、プリンタなどの画像形成装置に関し、より具体的には電磁誘導を用いた定着装置に関するものである。
【０００２】
【従来の技術】
プリンタ・複写機・ファクシミリなどの画像形成装置に対し、近年、省エネルギー化・高速化についての市場要求が強くなってきている。これらの要求性能を達成するためには、画像形成装置に用いられる定着装置の熱効率の改善が重要である。
【０００３】
画像形成装置では、電子写真記録・静電記録・磁気記録等の画像形成プロセスにより、画像転写方式もしくは直接方式により未定着トナー画像がシート材・印刷紙・感光紙・静電記録紙などの記録媒体に形成される。未定着トナー画像を定着させるための定着装置としては、熱ローラ方式、フィルム加熱方式、電磁誘導加熱方式等の接触加熱方式の定着装置が広く採用されている。
【０００４】
電磁誘導加熱方式の定着装置として、特開平８−２２２０６号公報では、励磁コイルからなる誘導加熱手段の磁界により磁性金属部材である発熱部材に発生した渦電流でジュール熱を生じさせ、発熱部材を電磁誘導発熱させる技術が提案されている。
【０００５】
以下に従来の電磁誘導加熱方式の定着装置の構成について説明する。ここで、図１１は従来の電磁誘導加熱方式による定着装置を示す模式図である。
【０００６】
図１１に示すように、定着装置は、フェライトコア１００１ａと励磁コイル１００１ｂとからなる励磁コイルユニット１００１と、磁性金属部材からなる加熱ローラ１００２と、表層に弾性体層を有する定着ローラ１００３と、加熱ローラ１００２と定着ローラ１００３とで張設され表層に離型層を有する定着ベルト１００４と、定着ローラ１００３と対向して押圧する加圧ローラ１００５とで構成され、定着ローラ１００３と加圧ローラ１００５の間にニップ部を形成する。加熱ローラ１００２、定着ローラ１００３、定着ベルト１００４、加圧ローラ１００５は駆動手段（図示せず）により駆動され、それぞれ矢印Ｄの方向へ回転、移動する。
【０００７】
温度検知手段１００６が検出する温度情報をもとに定着ベルト１００４が所定の温度を保つようにソフトウェアにより演算された結果に基づき、励磁コイル１００１ｂはインバータ回路（図示せず）により通電され、交番磁界（図示せず）を発生させる。励磁コイル１００１ｂにより発生する交番磁界は、加熱ローラ１００２に渦電流を発生させ、この渦電流が加熱ローラ１００２の電気抵抗によって熱（ジュール熱）に変換され加熱ローラ１００２を発熱させ、定着ベルト１００４が加熱される。
【０００８】
定着ベルト１００４が所定の温度に立ち上がった状態において、定着ローラ１００３と加圧ローラ１００５とで形成されるニップ部に、画像形成部（図示せず）で形成された未定着トナー画像１００８を有した記録材１００７を導入すると、記録材１００７は定着ベルト１００４と加圧ローラ１００５とに挟まれて定着ニップ部に搬送されることにより、記録材１００７上の未定着トナー像１００８が記録材１００７上に溶融定着される。
【０００９】
また、加熱ローラ１００２、定着ローラ１００３、定着ベルト１００５、加圧ローラ１００５、温度検知手段１００６は一つユニットの定着器１００９として構成され、寿命がきた場合はユーザーにて交換が可能である。
【００１０】
以上のように構成された定着装置では発熱効率も向上し、さらなるウォームアップの短縮が可能である。なお、定着ニップ部の出口においては、通過した記録材１００７は定着ベルト１００４の表面から分離されて排紙トレイ（図示せず）に搬送される。
【００１１】
以上のように構成された定着装置では発熱効率が向上し、さらなるウォームアップの短縮が可能である。
【００１２】
【特許文献１】
特開平８−２２２０６号公報
【００１３】
【発明が解決しようとする課題】
このような電磁誘導加熱方式の定着装置において、加熱部は発熱効率が良い反面、温度上昇が非常に速いため、何らかの異常で定着ベルト１００４が回転、移動しない状態で加熱されると加熱部近傍が局所的に加熱され、発煙や発火するという安全上の問題があった。
【００１４】
また、加熱ローラの発熱量はソフトウェアの演算結果に基づいているため、ソフトウェア暴走時においても発煙や発火するという安全上の問題があった。
【００１５】
また、ユーザーが定着器１００９の交換を電源ＯＦＦせずに行なった場合や、誤って定着器を装着し忘れて印字加熱した場合、不要な電磁波がユーザーや周りの機器に漏洩するという問題があった。
【００１６】
そこで、本発明は、発熱部材を駆動する駆動手段が正常に動作していることを検知する駆動動作検知手段と発熱部材が正常に回転、移動していることを検知する発熱部材回転移動検知手段を設け、どちらかの検知結果が異常の場合はインバータ回路の出力を停止または制限することのできる安全な定着装置を提供することを目的とする。
【００１７】
また、定着器（発熱部材）が正常に装着されていることを検知する発熱部材検知手段を設け、正常に装着されていなければインバータ回路の出力を停止することで不要な電磁波の漏洩を防ぐことができる定着装置を提供することを目的とする。
【００１８】
また、インバータ回路とその制御回路との接続を、定着器交換等の際のドアに連動したスイッチを介して行ない、スイッチがオープン状態（ドア開）の時は、インバータ回路の出力を停止することでユーザーが安全に定着器の交換ができる定着装置を提供することを目的とする。
【００１９】
また、制御回路が駆動動作検知手段と発熱部材回転移動検知手段のどちらかの検知結果が異常の場合のインバータ回路の出力停止または制限と、発熱部材検知手段の検知結果が異常な場合のインバータ回路の出力停止をソフトウェアを介さずに行なうことでより信頼性の高い安全な定着装置を提供することを目的とする。
【００２０】
また、加熱中はソフトウェアの状態を常に監視することで、ソフトウェア暴走を即座に検知しインバータ回路の出力を停止することのできる安全な定着装置を提供することを目的とする。
【００２１】
【課題を解決するための手段】
この課題を解決するために、本発明の発熱装置及び定着装置は、発熱部材と、前記発熱部材と対向配置され、電磁誘導によって前記発熱部材を発熱させる誘導加熱手段と、前記発熱部材を回転または移動させる駆動手段と、前記駆動手段が正常に動作していることを検知する駆動動作検知手段と、前記発熱部材が正常に回転または移動することを検知する発熱部材回転移動検知手段と、前記誘導加熱手段を駆動するインバータ回路と、前記インバータ回路を制御する制御回路とを有し、前記駆動動作検知手段または前記発熱部材回転移動検知手段が異常と検知した場合に、前記制御回路は前記インバータ回路の出力を停止または制限させることができる構成のものである。
【００２２】
また、発熱部材と、前記発熱部材と対向配置され、電磁誘導によって前記発熱部材を発熱させる誘導加熱手段と、前記発熱部材を回転または移動させる駆動手段と、前記駆動手段が正常に動作していることを検知する駆動動作検知手段と、前記発熱部材が正常に回転または移動することを検知する発熱部材回転移動検知手段と、前記発熱部材が正常に装着されていることを検出する発熱部材検知手段と、前記誘導加熱手段を駆動するインバータ回路と、前記インバータ回路を制御する制御回路とを有し、前記駆動動作検知手段または前記発熱部材回転移動検知手段が異常と検知した場合に、前記制御回路は前記インバータ回路の出力を停止または制限させ、前記発熱部材検知手段が異常と検知した場合に、前記制御回路は前記インバータ回路の出力を停止させることができる構成のものである。
【００２３】
また、発熱部材と、前記発熱部材と対向配置され、電磁誘導によって前記発熱部材を発熱させる誘導加熱手段と、前記発熱部材を回転または移動させる駆動手段と、前記駆動手段が正常に動作していることを検知する駆動動作検知手段と、前記発熱部材が正常に回転または移動することを検知する発熱部材回転移動検知手段と、前記発熱部材が正常に装着されていることを検出する発熱部材検知手段と、前記誘導加熱手段を駆動するインバータ回路と、前記インバータ回路を制御する制御回路と、前記発熱部材の取付けおよび取り外しのためのドアと前記ドアの開閉に連動して開閉するスイッチとを有し、前記駆動動作検知手段または前記発熱部材回転移動検知手段が異常と検知した場合に、前記制御回路は前記インバータ回路の出力を停止または制限させ、前記発熱部材検知手段が異常と検知した場合に、前記制御回路は前記インバータ回路の出力を停止させ、前記スイッチが開状態の場合に、前記インバータ回路の出力は停止することができる構成のものである。
【００２４】
また、前記制御回路はソフトウェアを介さずに、前記インバータ回路の出力を停止または制限させることができる構成のものである。
【００２５】
また、前記制御回路はソフトウェアから定期的に所定時間内にアクセスがない場合、前記インバータ回路の出力を停止させることができる構成のものである。
【００２６】
これにより、発熱部材を駆動する駆動手段が正常に動作していることを検知する駆動動作検知手段と発熱部材が正常に回転、移動していることを検知する発熱部材回転移動検知手段を設け、どちらかの検知結果が異常の場合はインバータ回路の出力を停止または制限することが可能である。
【００２７】
また、定着器（発熱部材）が正常に装着されていることを検知する発熱部材検知手段を設け、正常に装着されていなければインバータ回路の出力を停止することで不要な電磁波の漏洩を防ぐことが可能である。
【００２８】
また、インバータ回路とその制御回路との接続を、定着器交換時のドアに連動したスイッチを介して行ない、スイッチが開状態（ドアが開状態）の時は、インバータ回路の出力を停止することでユーザーが安全に定着器の交換をすることが可能である。
【００２９】
また、制御回路が駆動動作検知手段と発熱部材回転移動検知手段のどちらかの検知結果が異常の場合のインバータ回路の出力停止または制限と、発熱部材検知手段の検知結果が異常な場合のインバータ回路の出力停止をソフトウェアを介さずに行なうことが可能である。
【００３０】
また、加熱中はソフトウェアの状態を常に監視することで、ソフトウェア暴走を即座に検知しインバータ回路の出力を停止することが可能である。
【００３１】
【発明の実施の形態】
本発明の請求項１に記載の発明は、発熱部材と、発熱部材と対向配置され、電磁誘導によって発熱部材を発熱させる誘導加熱手段と、発熱部材を回転または移動させる駆動手段と、駆動手段が正常に動作していることを検知する駆動動作検知手段と、発熱部材が正常に回転または移動することを検知する発熱部材回転移動検知手段と、誘導加熱手段を駆動するインバータ回路と、インバータ回路を制御する制御回路とを有し、駆動動作検知手段または発熱部材回転移動検知手段が異常と検知した場合に、制御回路はインバータ回路の出力を停止または制限させることが可能になるという作用を有する。
【００３２】
本発明の請求項２に記載の発明は、発熱部材と、発熱部材と対向配置され、電磁誘導によって発熱部材を発熱させる誘導加熱手段と、発熱部材を回転または移動させる駆動手段と、駆動手段が正常に動作していることを検知する駆動動作検知手段と、発熱部材が正常に回転または移動することを検知する発熱部材回転移動検知手段と、発熱部材が正常に装着されていることを検出する発熱部材検知手段と、誘導加熱手段を駆動するインバータ回路と、インバータ回路を制御する制御回路とを有し、駆動動作検知手段または発熱部材回転移動検知手段が異常と検知した場合に、制御回路はインバータ回路の出力を停止または制限させ、発熱部材検知手段が異常と検知した場合に、制御回路はインバータ回路の出力を停止させることが可能になるという作用を有する。
【００３３】
本発明の請求項３に記載の発明は、発熱部材と、発熱部材と対向配置され、電磁誘導によって発熱部材を発熱させる誘導加熱手段と、発熱部材を回転または移動させる駆動手段と、駆動手段が正常に動作していることを検知する駆動動作検知手段と、発熱部材が正常に回転または移動することを検知する発熱部材回転移動検知手段と、発熱部材が正常に装着されていることを検出する発熱部材検知手段と、誘導加熱手段を駆動するインバータ回路と、インバータ回路を制御する制御回路と、発熱部材の取付けおよび取り外しのためのドアとドアの開閉に連動して開閉するスイッチとを有し、駆動動作検知手段または発熱部材回転移動検知手段が異常と検知した場合に、制御回路はインバータ回路の出力を停止または制限させ、発熱部材検知手段が異常と検知した場合に、制御回路はインバータ回路の出力を停止させ、スイッチが開状態の場合に、インバータ回路の出力は停止することが可能になるという作用を有する。
【００３４】
本発明の請求項４に記載の発明は、請求項１から請求項３に記載の発明において、制御回路はソフトウェアを介さずに、インバータ回路の出力を停止または制限させることが可能になるという作用を有する。
【００３５】
本発明の請求項５に記載の発明は、請求項１から請求項４に記載の発明において、制御回路はソフトウェアから定期的に所定時間内にアクセスがない場合、インバータ回路の出力を停止させることが可能になるという作用を有する。
【００３６】
以下、本発明の第一の実施の形態について、図１から図７および（表１）から（表６）を用いて説明する。なお、これらの図面において同一の部材には同一の符号を付しており、また、重複した説明は省略されている。
【００３７】
図１は本発明の一実施の形態である電磁誘導加熱方式による定着装置を備えた画像形成装置の構成図、図２は図１の画像形成装置に用いられる本発明の一実施の形態である電磁誘導加熱方式による定着装置の構成図、図３は図２の定着装置を構成する加熱ローラの構成を破断して示す説明図、図４は図２の定着装置を構成する励磁コイル、ショートリングの構成を示す図、図５は本発明の一実施の形態である電磁誘導加熱方式による定着装置のインバータ回路と制御回路およびその周辺回路を示すブロック図である。図６は本発明の一実施の形態である電磁誘導加熱方式による印字時の動作を示すタイミングチャートである。図７は本発明の一実施の形態である電磁誘導加熱方式による加熱を行なう待機時の動作を示すタイミングチャートである。
【００３８】
まず、本発明に係る画像形成装置の概略を説明する。なお、本実施の形態で説明する画像形成装置は、電子写真方式を採用する装置の中で特にカラー画像の発色に寄与する４色の基本色トナー毎に現像装置を備え、転写体に４色画像を重ね合わせ、シート材に一括転写するタンデム方式である。しかしながら、本発明はタンデム方式の画像形成装置のみに限定されず、また現像装置の数、中間転写体の有無等に拘らず、あらゆる方式の画像形成装置に採用可能であることはいうまでもない。
【００３９】
図１において、感光体ドラム１０ａ，１０ｂ，１０ｃ，１０ｄの周囲には、各感光体ドラム１０ａ，１０ｂ，１０ｃ，１０ｄの表面を一様に所定の電位に帯電させる帯電手段２０ａ，２０ｂ，２０ｃ，２０ｄ、帯電された感光体ドラム１０ａ，１０ｂ，１０ｃ，１０ｄ上に特定色の画像データに対応したレーザビームの走査線３０Ｋ，３０Ｃ，３０Ｍ，３０Ｙを照射して静電潜像を形成する露光手段３０、感光体ドラム１０ａ，１０ｂ，１０ｃ，１０ｄ上に形成された静電潜像を顕像化する現像手段４０ａ，４０ｂ，４０ｃ，４０ｄ、感光体ドラム１０ａ，１０ｂ，１０ｃ，１０ｄ上に顕像化されたトナー像を無端状の中間転写ベルト（中間転写体）７０に転写する転写手段５０ａ，５０ｂ，５０ｃ，５０ｄ、感光体ドラム１０ａ，１０ｂ，１０ｃ，１０ｄから中間転写ベルト７０にトナー像を転写した後に感光体ドラム１０ａ，１０ｂ，１０ｃ，１０ｄに残っている残留トナーを除去するクリーニング手段６０ａ，６０ｂ，６０ｃ，６０ｄがそれぞれ配置されている。
【００４０】
ここで、露光手段３０は、感光体ドラム１０ａ，１０ｂ，１０ｃ，１０ｄに対して所定の傾きをもって配置されている。また、中間転写ベルト７０は、図示する場合においては、矢印Ａ方向へ回動する。なお、画像形成ステーションＰａ，Ｐｂ，Ｐｃ，Ｐｄでは、それぞれブラック画像、シアン画像、マゼンタ画像、イエロー画像が形成される。そして、感光体ドラム１０ａ，１０ｂ，１０ｃ，１０ｄに形成された各色の単色画像が中間転写ベルト７０上に順次重ね転写されてフルカラー画像が形成される。
【００４１】
装置の下部には、印字用紙などのシート材（記録媒体）９０が収納された給紙カセット１００が設けられている。そして、シート材９０は、給紙ローラ８０により給紙カセット１００から１枚ずつ用紙搬送路に送り出される。
【００４２】
用紙搬送路上には、中間転写ベルト７０の外周面と所定量にわたって接触し、この中間転写ベルト７０上に形成されたカラー画像をシート材９０に転写するシート材転写ローラ１１０、シート材９０上に転写されたカラー画像をローラの狭持回転に伴う圧力と熱とによってシート材９０に定着する定着器１２０が配置されている。
【００４３】
また、ドア１２５は画像形成装置の筐体を成すとともに、定着器１２０の交換やジャム処理を行なう際に開閉される。
【００４４】
このような構成の画像形成装置において、まず画像形成ステーションＰａの帯電手段２０ａおよび露光手段３０により感光体ドラム１０ａ上に画像情報のブラック成分色の潜像が形成される。この潜像は現像手段４０ａでブラックトナーを有する現像手段４０ａによりブラックトナー像として可視像化され、転写手段５０ａにより中間転写ベルト７０上にブラックトナー像として転写される。
【００４５】
一方、ブラックトナー像が中間転写ベルト７０に転写されている間に、画像形成ステーションＰｂではシアン成分色の潜像が形成され、続いて現像手段４０ｂでシアントナーによるシアントナー像が顕像化される。そして、先の画像ステーションＰａでブラックトナー像の転写が終了した中間転写ベルト７０にシアントナー像が画像ステーションＰｂの転写手段５０ｂにて転写され、ブラックトナー像と重ね合わされる。
【００４６】
以下、マゼンタトナー像、イエロートナー像についても同様な方法で画像形成が行われ、中間転写ベルト７０に４色のトナー像の重ね合わせが終了すると、給紙ローラ８０により給紙カセット１００から給紙されたシート材９０上にシート材転写ローラ１１０によって４色のトナー像が一括転写される。そして、転写されたトナー像は定着器１２０でシート材９０に加熱定着され、このシート材９０上にフルカラー画像が形成される。
【００４７】
次に、このような画像形成装置に用いられた定着装置について説明する。
【００４８】
図２に示すように、定着装置は、誘導加熱手段１８０の電磁誘導により加熱される加熱ローラ（発熱部材）１３０と、加熱ローラ１３０と平行に配置された定着ローラ１４０と、加熱ローラ１３０と定着ローラ１４０とに張り渡され、加熱ローラ１３０により加熱されるとともに少なくともこれらのいずれかのローラの回転により矢印Ｂ方向に回転する無端帯状の耐熱性ベルト（トナー加熱媒体）１５０と、耐熱性ベルト１５０を介して定着ローラ１４０に圧接されるとともに耐熱性ベルト１５０に対して順方向に回転する加圧ローラ１６０とから構成されている。
【００４９】
加熱ローラ１３０はたとえば鉄、コバルト、ニッケルまたはこれら金属の合金等の中空円筒状の磁性金属部材の回転体からなり、外径をたとえば２０ｍｍ、肉厚をたとえば０．３ｍｍとして、低熱容量で昇温の速い構成となっている。
【００５０】
加熱ローラ１３０は、図３に示すように、亜鉛メッキ鋼板からなる支持側板１３１に固定されたベアリング１３２により、その両端が回転可能に支持されている。加熱ローラ１３０は、図５に示す駆動手段によって回転駆動される。加熱ローラ１３０は、鉄・ニッケル・クロムの合金である磁性材料によって構成され、そのキュリー点が３００℃以上となるように調整されている。また、加熱ローラ１３０は、厚さ０．３ｍｍのパイプ状に形成されている。
【００５１】
加熱ローラ１３０の表面には、離型性を付与するために、厚さ２０μｍのフッ素樹脂からなる離型層（図示せず）が被覆されている。尚、離型層としては、ＰＴＦＥ、ＰＦＡ、ＦＥＰ、シリコーンゴム、フッ素ゴム等の離型性の良好な樹脂やゴムを単独であるいは混合して用いてもよい。加熱ローラ１３０をモノクロ画像の定着用として用いる場合には離型性のみを確保すればよいが、加熱ローラ１３０をカラー画像の定着用として用いる場合には弾性を付与することが望ましく、その場合にはさらに厚いゴム層を形成する必要がある。
【００５２】
定着ローラ１４０は、たとえばステンレススチール等の金属製の芯金１４０ａと、耐熱性を有するシリコーンゴムをソリッド状または発泡状にして芯金１４０ａを被覆した弾性部材１４０ｂとからなる。そして、加圧ローラ１６０からの押圧力でこの加圧ローラ１６０と定着ローラ１４０との間に所定幅の定着ニップ部Ｎを形成するために外径を３０ｍｍ程度として加熱ローラ１３０より大きくしている。弾性部材１４０ｂはその肉厚を３〜８ｍｍ程度、硬度を１５〜５０°（Ａｓｋｅｒ硬度：ＪＩＳ  Ａ  の硬度では６〜２５°による）程度としている。この構成により、加熱ローラ１３０の熱容量は定着ローラ１４０の熱容量より小さくなるので、加熱ローラ１３０が急速に加熱されてウォームアップ時間が短縮される。
【００５３】
加熱ローラ１３０と定着ローラ１４０とに張り渡された耐熱性ベルト１５０は、誘導加熱手段１８０により加熱される加熱ローラ１３０との接触部位で加熱される。そして、加熱ローラ１３０，定着ローラ１４０の回転によって耐熱性ベルト１５０の内面が連続的に加熱され、結果としてベルト全体に渡って加熱される。
【００５４】
耐熱性ベルト１５０は、鉄、コバルト、ニッケル等の磁性を有する金属またはそれらを基材とする合金を基材とした発熱層と、その表面を被覆するようにして設けられたシリコーンゴム、フッ素ゴム等の弾性部材からなる離型層とから構成された複合層ベルトである（図示せず）。
【００５５】
上記複合層ベルトを使用すれば、ベルトを直接加熱できる他、発熱効率が良くなり、またレスポンスが速くなる。
【００５６】
また、仮に何らかの原因で、例えば耐熱性ベルト１５０と加熱ローラ１３０との間に異物が混入してギャップが生じたとしても、耐熱性ベルト１５０の発熱層の電磁誘導による発熱で耐熱性ベルト１５０自体が発熱するので、温度ムラが少なく定着の信頼性が高くなる。
【００５７】
図２において、加圧ローラ１６０は、たとえば銅またはアルミ等の熱伝導性の高い金属製の円筒部材からなる芯金１６０ａと、この芯金１６０ａの表面に設けられた耐熱性およびトナー離型性の高い弾性部材１６０ｂとから構成されている。芯金１６０ａには上記金属以外にＳＵＳを使用しても良い。
【００５８】
加圧ローラ１６０は耐熱性ベルト１５０を介して定着ローラ１４０を押圧してシート材９０を挟持搬送する定着ニップ部Ｎを形成しているが、本実施の形態では、加圧ローラ１６０の硬度を定着ローラ１４０に比べて硬くすることによって、加圧ローラ１６０が定着ローラ１４０（及び耐熱性ベルト１５０）へ食い込む形となり、この食い込みにより、シート材９０は加圧ローラ１６０表面の円周形状に沿うため、シート材９０が耐熱性ベルト１５０表面から離れやすくなる効果を持たせている。この加圧ローラ１６０の外径は定着ローラ１４０と同じ３０ｍｍ程度であるが、肉圧は２〜５ｍｍ程度で定着ローラ１４０より薄く、また硬度は２０〜６０°（Ａｓｋｅｒ硬度：ＪＩＳ  Ａ  の硬度では６〜２５°による）程度で前述したとおり定着ローラ１４０より硬く構成されている。定着ニップ部Ｎの入口側近傍において耐熱性ベルト１５０の内面側に当接して配置されたサーミスタなどの熱応答性の高い感温素子からなる温度検出手段２４０により、ベルト内面温度が検知される。
【００５９】
次に、誘導加熱手段１８０の構成について説明する。
【００６０】
電磁誘導により加熱ローラ１３０を加熱する誘導加熱手段１８０は、図２に示すように、加熱ローラ１３０の外周面と対向配置されている。誘導加熱手段１８０には、加熱ローラ１３０を覆うように湾曲形成されて加熱ローラ１３０を格納するための格納室２００を備えた支持フレーム（コイルガイド部材）１９０が設けられている。なお、支持フレーム１９０は難燃性の樹脂で構成されている。
【００６１】
サーモスタット２１０の温度を検知する部分は、支持フレーム１９０から加熱ローラ１３０及び耐熱性ベルト１５０に向けて一部表出して設けられている。これにより、加熱ローラ１３０及び耐熱性ベルト１５０の温度を検知し、異常温度を検知した場合に励磁コイル２２０と図５に示すインバータ回路をとの接続を強制遮断する。
【００６２】
支持フレーム１９０の外周面には、磁界発生手段である表面が絶縁された線材を束ねた線束の励磁コイル２２０が巻回されている。励磁コイル２２０は長い一本の励磁コイル線材をこの支持フレーム１９０に沿って加熱ローラ１３０の軸方向に交互に巻き付けたものである（図示せず）。コイルを巻き付ける長さは耐熱性ベルト１５０と加熱ローラ１３０とが接する領域と略同じにされている。
【００６３】
励磁コイル２２０は、図５に示すインバータ回路３１０に接続され、１０ｋＨｚ〜１ＭＨｚの高周波交流電流、好ましくは２０ｋＨｚ〜８００ｋＨｚの高周波交流電流が給電され、これにより交番磁界を発生する。そして、加熱ローラ１３０と耐熱性ベルト１５０との接触領域およびその近傍部においてこの交番磁界が加熱ローラ１３０および耐熱性ベルト１５０の発熱層に作用し、これらの内部では交番磁界の変化を妨げる方向に渦電流が流れる。
【００６４】
この渦電流が加熱ローラ１３０および耐熱性ベルト１５０の発熱層の抵抗に応じたジュール熱を発生させ、主として加熱ローラ１３０と耐熱性ベルト１５０との接触領域およびその近傍部において加熱ローラ１３０および耐熱性ベルト１５０が電磁誘導加熱される。
【００６５】
図４にも示すように、支持フレーム１９０の外側には格納室２００を囲む形でショートリング２３０が設けられている。ショートリング２３０には励磁コイル２２０に電流を流すことによって生じる磁束のうち外部に漏れ出る漏れ磁束を打ち消す方向に渦電流が発生する。渦電流が発生するとフレミングの法則により、漏れ磁束の磁界を打ち消す方向に磁界が発生し、漏れ磁束による不要輻射を防止する。
【００６６】
ショートリング２３０は、例えば、導電性の高い銅またはアルミニウムを材料とする。また、ショートリング２３０は、少なくとも、漏れ磁束を打ち消す磁束を発生させられる位置にあればよい。
【００６７】
支持フレーム１９０の格納室２００を囲むような形で励磁コイルコア２５０が設けられ、その上部には、支持フレーム１９０の格納室２００をまたぐような形でＣ型コイルコア２６０が設けられている。
【００６８】
励磁コイルコア２５０及びＣ型コイルコア２６０を設けることにより、励磁コイル２２０のインダクタンスが大きくなり、励磁コイル２２０と加熱ローラ１３０との電磁結合が良好となる。このため、同じコイル電流でも多くの電力を加熱ローラ１３０へ投入することが可能となり、ウォームアップ時間の短い定着装置を実現することができる。
【００６９】
この励磁コイル２２０を挟んで加熱ローラ１３０の反対側には、誘導加熱手段１８０の内部を覆うハウジング２７０が取り付けられている。ハウジング２７０はたとえば樹脂製であり、Ｃ型コイルコア２６０やサーモスタット２１０を覆うような屋根型で支持フレーム１９０に取り付けられている。なお、ハウジング２７０は樹脂製以外であってもよい。図４に示すハウジング２７０には複数の放熱孔２８０が形成されており、内部の支持フレーム１９０、励磁コイル２２０、Ｃ型コイルコア２６０等から発散された熱が外部に放出されるようになっている。
【００７０】
ハウジング２７０に形成された放熱孔２８０を塞がないような形状で、ショートリング２９０が支持フレーム１９０に取り付けられている。
【００７１】
ショートリング２９０は、上述したショートリング２３０と同様のものであり、図４に示すように、Ｃ型コイルコア２６０等の背面に位置しており、Ｃ型コイルコア２６０等の背面から外部に漏れ出るわずかな漏れ磁束を打ち消す方向に渦電流が発生することで、漏れ磁束の磁界を打ち消す方向に磁界が発生し、漏れ磁束による不要輻射を防止する。
【００７２】
次に、図５を用いて制御回路３２０およびその周辺の構成について説明する。
【００７３】
制御回路３２０は、加熱ローラ１３０および定着ローラ１４０および耐熱性ベルト１５０等から構成される定着器１２０が正常に装着されていることを検出する発熱部材検知手段３３０、加熱ローラ１３０または耐熱性ベルト１５０が正常に回転していることを検出する回転移動検知手段３４０、加熱ローラ１３０および定着ローラ１４０および耐熱性ベルト１５０を回転駆動させる駆動手段が正常に動作していることを検出する駆動動作検知手段３５０、定着装置の温度制御を行なうＣＰＵ３７０およびインバータ回路３１０に接続されている。
【００７４】
また、制御回路３２０はインバータ回路３１０の出力のイネーブル／ディセーブルを制御する信号ＩＨＥＮＢを生成するイネーブル生成回路３２１、インバータ回路３１０の出力パワーを制御する信号ＩＨＰＯＷＥＲを生成するパルス生成回路３２２、待機時の状態を決定するモード設定レジスタ３２３、インバータ回路３１０の出力パワーを決定するパワー設定レジスタ３２４、異常時のインバータ回路３１０の出力パワーを決定する異常時パワーレジスタ３２５により構成される。信号ＩＨＥＮＢが「０」または「Ｈｉ−Ｚ」の時インバータ回路３１０の出力はディセーブル（停止）状態で、信号ＩＨＥＮＢが「１」の時イネーブル状態となる。また、信号ＩＨＰＯＷＥＲはパルス信号で、ハイ時間とロー時間の比（デューティ）によりインバータ回路３１０の出力パワーが決定され、ディーティが大きいほど（ハイ時間がロー時間より長いほど）出力パワーは大きくなる。例えば、デューティが３０％の時は約３００Ｗ、８０％の時は約８００Ｗの出力パワーとなる。
【００７５】
モード設定レジスタ３２３は２ビットのレジスタで、そのデータＭＯＤはＣＰＵ３７０からデータバスＤおよびアドレスバスＡにより書き込まれ、データが「０」の時は加熱を行なわない待機状態であるモード０で、データが「１」の時は加熱を行なう待機状態（加熱ローラ１３０および耐熱性ベルト１５０が回転していなくても加熱を行なう状態）であるモード１で、データが「２」の時は印字状態（加熱ローラ１３０および耐熱性ベルト１５０が正常に回転している時のみ加熱を行なう状態）であるモード２である。
【００７６】
イネーブル生成回路３２１はＣＰＵ３７０からの信号ＩＨＯＮ、発熱部材検知手段３３０からの信号ＦＳＲ、回転移動検知手段３４０からの信号ＲＯＴ、駆動検知手段３５０からの信号ＬＤおよびモード設定レジスタからの信号ＭＯＤにより信号ＩＨＥＮＢに「０」または「１」を出力する。
【００７７】
パワー設定レジスタ３２４は８ビットのレジスタで、そのデータＰＷはＣＰＵ３７０からデータバスＤおよびアドレスバスＡにより書き込まれ、データが大きいほどインバータ回路の出力パワーも大きい。異常時パワーレジスタ３２５は８ビットのレジスタで、そのデータＥＰＷは固定値であり、加熱ローラ１３０および耐熱性ベルト１５０が回転していない状態で加熱しても安全上問題がない値である。
【００７８】
パルス生成回路３２２は回転移動検知手段３４０からの信号ＲＯＴ、駆動検知手段３５０からの信号ＬＤ、パワー設定レジスタ３２４からの信号ＰＷ、異常時パワーレジスタ３２５からの信号ＥＰＷおよびモード設定レジスタからの信号ＭＯＤにより信号ＩＨＰＯＷＥＲにパルス信号を出力する。
【００７９】
発熱部材検知手段３３０は発熱部材検知回路３３１とフォトインタラプタ等の光センサ３３２で構成される。加熱ローラ１３０および定着ローラ１４０および耐熱性ベルト１５０等から構成される定着器１２０が正常に装着された状態では光センサ３３２は遮光状態となり発熱部材検知回路３３１は信号ＦＳＲに「１」を出力し、正常に装着されていない状態では光センサ３３２は透過状態となり発熱部材検知回路３３１は信号ＦＳＲに「０」を出力する。
【００８０】
回転移動検知手段３４０は加熱ローラ１３０および耐熱性ベルト１５０に連動して回転するエンコーダ板３４１、回転移動検知回路３４２およびフォトインタラプタ等の光センサ３４３で構成される。エンコーダ板３４１が回転することにより光センサ３４３が遮光状態、透過状態を繰り返し、回転移動検知回路３４２はこの繰り返し周期が所定の時間以下になると加熱ローラ１３０および耐熱性ベルト１５０が正常に回転していると検知し信号ＲＯＴに「１」を出力し、繰り返し周期が所定の時間以上の場合は「０」を出力する。
【００８１】
ＤＣブラシレスモータ等の駆動手段３６０はＣＰＵ３７０からの信号ＭＯＮが「１」の時回転し、回転加熱ローラ１３０および定着ローラ１４０および耐熱性ベルト１５０を駆動させ、信号ＭＯＴが「０」の時停止する。ホールセンサ等（図示せず）を用いた駆動動作検知手段３５０は駆動手段３６０が所定の回転数で回転している期間信号ＬＤ「１」を出力し、それ以外の期間は「０」を出力する。
【００８２】
ＣＰＵ３７０はプログラム（ソフトウェア）が格納されているＲＯＭ３８０とワークエリアであるＲＡＭ３９０と温度検知手段２４０からの信号ＴＨにより定着装置の温度制御を行なう。また、ＣＰＵ３７０はアドレスバスＡおよびデータバスＤにより発熱部材検知手段からの信号ＦＳＲ、回転移動検知手段からの信号ＲＯＴおよび駆動動作検知手段からの信号ＬＤの状態を認識できる。
【００８３】
次に、図６、（表１）〜（表６）を用いて印字時の定着装置の動作について説明する。
【００８４】
図６は印字時の定着装置の動作を示すタイミングチャート、（表１）〜（表３）はイネーブル生成回路３２１の入力と出力の関係を示す表、（表４）〜（表６）はパルス生成回路３２２の入力と出力の関係を示す表である。
【００８５】
【表１】
2004279661.tif 000003
【００８６】
【表２】
2004279661.tif 000004
【００８７】
【表３】
2004279661.tif 000005
【００８８】
【表４】
2004279661.tif 000006
【００８９】
【表５】
2004279661.tif 000007
【００９０】
【表６】
2004279661.tif 000008
【００９１】
まず、ＣＰＵ３７０は発熱部材検知手段からの信号ＦＳＲが「１」であることを確認し、モード設定レジスタ３２３に「２」を書込む（信号ＭＯＤは「２」となる）。信号ＦＳＲが「０」の場合、印字動作は行なわない。次に、ＣＰＵ３７０は駆動手段３６０への信号ＭＯＮを「１」にすることで駆動手段３６０は回転駆動を開始する。所定時間Ｔ１に駆動手段３６０が所定の回転数になると駆動動作検知手段３５０は信号ＬＤを「１」にし、所定時間Ｔ２後に加熱ローラ１３０および耐熱性ベルト１５０が正常に回転すると、回転移動検知手段３４０は信号ＲＯＴを「１」にする。ＣＰＵは信号ＬＤと信号ＲＯＴのどちらも「１」であることを確認し、信号ＩＨＯＮを「１」にするとともにパワー設定レジスタ３２４に所定のデータ（ここでは「８０Ｈ」）を書き込む。
【００９２】
制御回路３２０内のイネーブル生成回路３２１は信号ＭＯＤ＝２（印字時）の場合、（表３）に示すように信号ＦＳＲ、信号ＬＤ、信号ＲＯＴが全て「１」の時、信号ＩＨＯＮと同じ状態を信号ＩＨＥＮＢに出力する。また、パルス生成回路３２２は信号ＭＯＤ＝２（印字時）の場合、（表６）に示すように信号ＬＤ、信号ＲＯＴが全て「１」の時、パワー設定レジスタ３２４に設定されているデータである信号ＰＷ分のパルスを信号ＩＨＰＯＷＥＲに出力する。この場合、パワー設定レジスタ３２４には「８０Ｈ」が設定されているので信号ＩＨＰＯＷＥＲはデューティ５０％のパルスとなる。
【００９３】
インバータ回路３１０は信号ＩＨＥＮＢがイネーブル状態であるので、信号ＩＨＰＯＷＥＲのデューティに従ったパワーを出力する。この場合、信号ＩＨＰＯＷＥＲのデューティ５０％であるので約５００Ｗのパワーが出力され、加熱ローラ１３０および耐熱性ベルト１５０が加熱される。
【００９４】
定着された最終のシート材９０が排紙トレイ（図示せず）へ搬送されるとＣＰＵ３７０は信号ＩＨＯＮを「０」にするとともにパワー設定レジスタ３２４へ「００Ｈ」を書き込み、その後信号ＭＯＮを「０」にし駆動手段３６０を停止させ、定着動作が終了する。
【００９５】
ここでＣＰＵ３７０は信号ＦＳＲが「１」であることを確認してからインバータ回路３１０の出力をイネーブルにすること、また印字加熱中（ＭＯＤ＝２）において、何らかの原因で信号ＦＳＲが「０」になると異常が発生したと認識し、信号ＩＨＯＮを「０」にするとともにパワー設定レジスタ３２４へ「００Ｈ」を書き込み、加熱を停止させることにより、定着装置１２０が正常に装着されていなければインバータ回路の出力を停止させ不要な電磁波の漏洩を防ぐことができる。
【００９６】
また印字加熱中（ＭＯＤ＝２）において、何らかの原因で信号ＬＤまたは信号ＲＯＴの何れかが「０」になると異常が発生したと認識し、信号ＩＨＯＮを「０」にするとともにパワー設定レジスタ３２４へ「００Ｈ」を書き込み、加熱を停止させることにより、加熱ローラ１３０および耐熱性ベルト１５０が局所的に加熱されることがなくなり、発煙や発火を未然に防ぐことできる。
【００９７】
上述の異常が発生した時には、制御回路３２０は（表３）および（表６）に示すようにＣＰＵ３７０と同様に加熱を停止させる。つまり上述の異常が発生した場合は、ソフトウェアを介さずに加熱を停止させるため、異常時に何らかの原因でＣＰＵ３７０が加熱を停止させない状態においても、確実に加熱を停止させることができる。
【００９８】
次に図７、（表１）〜（表６）を用いて加熱を行なう待機時の定着装置の動作について説明する。
【００９９】
まず、ＣＰＵ３７０は発熱部材検知手段からの信号ＦＳＲが「１」であることを確認し、モード設定レジスタ３２３に「１」を書込む（信号ＭＯＤは「１」となる）。次に、信号ＩＨＯＮを「１」にするとともにパワー設定レジスタ３２４に所定のデータ（ここでは「４０Ｈ」）を書き込む。この待機状態での加熱は、定着装置を１００℃程度に保温するための加熱であり、低いパワーが設定される。
【０１００】
制御回路３２０内のイネーブル生成回路３２１は信号ＭＯＤ＝１（加熱を行なう待機状態）の場合、（表２）に示すように信号ＦＳＲが「１」の時、信号ＩＨＯＮと同じ状態を信号ＩＨＥＮＢに出力する。また、パルス生成回路３２２は信号ＭＯＤ＝１（加熱を行なう待機状態）の場合、（表５）に示すように信号ＬＤ、信号ＲＯＴの状態に無関係にパワー設定レジスタ３２４に設定されているデータである信号ＰＷ分のパルスを信号ＩＨＰＯＷＥＲに出力する。ただし、信号ＰＷが信号ＥＰＷより大きな値に設定されても、信号ＩＨＰＯＷＥＲは信号ＥＰＷより大きな値にはならない。ここでは、信号ＥＰＷは「５０Ｈ」が固定値として設定されている。また、パワー設定レジスタ３２４には「４０Ｈ」が設定されているので信号ＩＨＰＯＷＥＲはデューティ２５％のパルスとなる。
【０１０１】
インバータ回路３１０は信号ＩＨＥＮＢがイネーブル状態であるので、信号ＩＨＰＯＷＥＲのデューティに従ったパワーを出力する。この場合、信号ＩＨＰＯＷＥＲのデューティ２５％であるので約２５０Ｗのパワーが出力され、加熱ローラ１３０および耐熱性ベルト１５０が加熱される。
【０１０２】
ここで、何らかの原因でＣＰＵ３７０がパワー設定レジスタ３２４に大きな値（例えば「ＦＦＨ」）を設定したとしても、制御回路３２０は信号ＥＰＷより大きな値のパルスを信号ＩＨＰＯＷＥＲに出力することがないので、加熱ローラ１３０および耐熱性ベルト１５０が回転していない状態において大きなパワーで加熱されることがなく、発煙や発火を未然に防ぐことできる。
【０１０３】
次に本発明の第二の実施の形態について、図８、図９、（表７）〜（表１２）を用いて説明する。
【０１０４】
図８は本発明の第二の実施の形態である電磁誘導加熱方式による定着装置の制御回路およびその周辺回路を示すブロック図である。図９は図８の電磁誘導加熱方式による印字時の動作を示すタイミングチャートである。（表７）〜（表９）は本発明の第二の実施の形態である電磁誘導加熱方式におけるイネーブル生成回路の入力と出力の関係を示す表である。（表１０）〜（表１２）は本発明の第二の実施の形態である電磁誘導加熱方式におけるパルス生成回路の入力と出力の関係を示す表である。
【０１０５】
【表７】
2004279661.tif 000009
【０１０６】
【表８】
2004279661.tif 000010
【０１０７】
【表９】
2004279661.tif 000011
【０１０８】
【表１０】
2004279661.tif 000012
【０１０９】
【表１１】
2004279661.tif 000013
【０１１０】
【表１２】
2004279661.tif 000014
【０１１１】
図９においてＣＰＵ監視回路３２６は信号ＴＧＬの状態をモニターし、信号ＴＧＬの状態が所定の時間Ｔ３内に「０」から「１」または「１」から「０」へ変化すると信号ＷＤに「１」を出力し、Ｔ３以内に変化がない場合は「０」を出力する。
【０１１２】
イネーブル生成回路３２１は（表７）〜（表９）に示すように、信号ＷＤが「１」の時のみ第一の実施例の表１のように信号ＩＨＯＮを出力する。信号ＷＤが「０」の時は信号ＩＨＯＮに常に「０」を出力する。
【０１１３】
パルス生成回路３２２は表４に示すように、信号ＷＤが「１」の時のみ第一の実施例の表２のように信号ＩＨＰＯＷＥＲを出力する。信号ＷＤが「０」の時は信号ＩＨＰＯＷＥＲに常に「０」を出力する。
【０１１４】
ここで印字時の定着装置の動作について説明する。
【０１１５】
まず、ＣＰＵ３７０は発熱部材検知手段からの信号ＦＳＲが「１」であることを確認し、モード設定レジスタ３２３に「２」を書込むとともに信号ＴＧＬを現在の状態と違う状態にする。ここでは信号ＴＧＬを「０」から「１」にし、その後、時間Ｔ４毎に状態を変化させ続ける。ＣＰＵ監視回路３２６は所定の時間Ｔ３以内に信号ＴＧＬの状態が変化した時点で信号ＷＤに「１」を出力する（時間Ｔ４とＴ３はＴ４＞Ｔ３の関係にある）。
【０１１６】
次に、ＣＰＵ３７０は駆動手段３６０への信号ＭＯＮを「１」にすることで駆動手段３６０は回転駆動を開始する。所定時間Ｔ１に駆動手段３６０が所定の回転数になると駆動動作検知手段３５０は信号ＬＤを「１」にし、所定時間Ｔ２後に加熱ローラ１３０および耐熱性ベルト１５０が正常に回転すると、回転移動検知手段３４０は信号ＲＯＴを「１」にする。ＣＰＵは信号ＬＤと信号ＲＯＴのどちらも「１」であることを確認し、信号ＩＨＯＮを「１」にするとともにパワー設定レジスタ３２４に所定のデータ（ここでは「８０Ｈ」）を書き込む。
【０１１７】
制御回路３２０内のイネーブル生成回路３２１は信号ＭＯＤ＝２（印字時）の場合、（表９）に示すように信号ＷＤ、信号ＦＳＲ、信号ＬＤ、信号ＲＯＴが全て「１」の時、信号ＩＨＯＮと同じ状態を信号ＩＨＥＮＢに出力する。また、パルス生成回路３２２は信号ＭＯＤ＝２（印字時）の場合、（表１２）に示すように信号ＷＤ、信号ＬＤ、信号ＲＯＴが全て「１」の時、パワー設定レジスタ３２４に設定されているデータである信号ＰＷ分のパルスを信号ＩＨＰＯＷＥＲに出力する。ここではパワー設定レジスタ３２４には「８０Ｈ」が設定されているので信号ＩＨＰＯＷＥＲはデューティ５０％のパルスとなる。
【０１１８】
インバータ回路３１０は信号ＩＨＥＮＢがイネーブル状態であるので、信号ＩＨＰＯＷＥＲのデューティに従ったパワーを出力する。この場合、信号ＩＨＰＯＷＥＲのデューティ５０％であるので約５００Ｗのパワーが出力され、加熱ローラ１３０および耐熱性ベルト１５０が加熱される。
【０１１９】
定着された最終のシート材９０が排紙トレイ（図示せず）へ搬送されるとＣＰＵ３７０は信号ＩＨＯＮを「０」にするとともにパワー設定レジスタ３２４へ「００Ｈ」を書き込む。その後信号ＴＧＬの状態を変化させることを止め、ＣＰＵ監視回路３２６は信号ＴＧＬの状態変化がＴ３以内に行なわれなくなった時点で信号ＷＤに「０」を出力する。さらにＣＰＵ３７０は信号ＭＯＮを「０」にし駆動手段３６０を停止させ、定着動作が終了する。
【０１２０】
ここでＣＰＵ監視回路３２６は常に信号ＴＧＬをモニターしているので、ＣＰＵ３７０が何らかの原因で印字加熱中に暴走したとしても、その暴走を未然に認識し、信号ＩＨＥＮＢと信号ＩＨＰＯＷＥＲは「０」になり、加熱を停止させることで発煙や発火を未然に防ぐことできる。
【０１２１】
次に本発明の第三の実施の形態について、図１０を用いて説明する。
【０１２２】
図１０は本発明の第三の実施の形態である電磁誘導加熱方式による定着装置のインバータ回路と制御回路の接続を示すブロック図である。
【０１２３】
スイッチ４００は定着器交換時に使われるドア（図示せず）の開閉に連動したスイッチである。制御回路３２０からの出力信号ＩＨＥＮＢはスイッチ４００を介してインバータ回路３１０に接続され、前述のドア（図示せず）が開いた状態（定着器交換時）の時は「Ｈｉ−Ｚ」となり、インバータ回路は出力停止状態となる。通常の印字状態では前述のドアは閉められた状態であり、信号ＩＨＥＮＢはそのまま状態でインバータ回路へ伝達される。
【０１２４】
このように制御回路３２０とインバータ回路３１０との接続を、定着器交換時のドアに連動したスイッチを介して行ない、スイッチがオープン状態（ドア開）の時は、インバータ回路の出力を停止することでユーザーが安全に定着器の交換をすることが可能である。
【０１２５】
【発明の効果】
以上のように、本発明によれば発熱部材を駆動する駆動手段が正常に動作していることを検知する駆動動作検知手段と発熱部材が正常に回転、移動していることを検知する発熱部材回転移動検知手段を設け、どちらかの検知結果が異常の場合はインバータ回路の出力を停止または制限することで、発煙や発火等を防止できるという有効な効果が得られる。
【０１２６】
また、定着器（発熱部材）が正常に装着されていることを検知する発熱部材検知手段を設け、正常に装着されていなければインバータ回路の出力を停止することで、不要な電磁波の漏洩を防ぐことができるという有効な効果が得られる。
【０１２７】
また、制御回路が駆動動作検知手段と発熱部材回転移動検知手段のどちらかの検知結果が異常の場合のインバータ回路の出力停止または制限と、発熱部材検知手段の検知結果が異常な場合のインバータ回路の出力停止をソフトウェアを介さずに行なうことで、より確実に発煙や発火等を防止できるという有効な効果が得られる。
【０１２８】
また、加熱中はソフトウェアの状態を常に監視することで、ソフトウェア暴走を即座に検知しインバータ回路の出力を停止することで、ソフトウェア暴走時においても発煙や発火等を防止できるという有効な効果が得られる。
【０１２９】
また、インバータ回路とその制御回路との接続を、定着器交換時のドアに連動したスイッチを介して行ない、スイッチがオープン状態（ドア開）の時は、インバータ回路の出力を停止することで、ユーザーが安全に定着器の交換ができるという有効な効果が得られる。
【図面の簡単な説明】
【図１】本発明の一実施の形態である定着装置を備えた画像形成装置の構成図
【図２】図１の画像形成装置に用いられる本発明の一実施の形態である電磁誘導加熱方式による定着装置の構成図
【図３】図２の定着装置を構成する本発明の一実施の形態である加熱ローラの断面図
【図４】図２の定着装置を構成する本発明の一実施の形態である励磁コイル、ショートリングの構成図
【図５】本発明の一実施の形態である電磁誘導加熱方式による定着装置のインバータ回路と制御回路およびその周辺回路を示すブロック図
【図６】図５の電磁誘導加熱方式による印字時の動作を示すタイミングチャート
【図７】図５の電磁誘導加熱方式による加熱を行なう待機時の動作を示すタイミングチャート
【図８】本発明の第二の実施の形態である電磁誘導加熱方式による定着装置の制御回路およびその周辺回路を示すブロック図
【図９】図８の電磁誘導加熱方式による印字時の動作を示すタイミングチャート
【図１０】本発明の第三の実施の形態である電磁誘導加熱方式による定着装置のインバータ回路と制御回路の接続を示すブロック図
【図１１】従来の電磁誘導加熱方式による定着装置の模式図
【符号の説明】
１３０  加熱ローラ
１４０  定着ローラ
１５０  耐熱性ベルト
１８０  誘導加熱手段
３１０  インバータ回路
３２０  制御回路
３３０  発熱部材検知手段
３４０  回転移動検知手段
３５０  駆動動作検知手段
３７０  ＣＰＵ
【図１】
2004279661.tif 000015
【図２】
2004279661.tif 000016
【図３】
2004279661.tif 000017
【図４】
2004279661.tif 000018
【図５】
2004279661.tif 000019
【図６】
2004279661.tif 000020
【図７】
2004279661.tif 000021
【図８】
2004279661.tif 000022
【図９】
2004279661.tif 000023
【図１０】
2004279661.tif 000024
【図１１】
2004279661.tif 000025